(57)【要約】      （修正有）【課題】ＡＶ機器、照明装置、空調装置等、人が感知し得る刺戟を変化させて出力できる電気機器を展示する販売店やショールーム等において、実演作動させる電気機器の出力する刺戟の出力変化を人に体験させつつ、該出力変化の前後の刺戟の相違を消費者等の人に効果的に認知させる刺激変化体験機器を提供する。【解決手段】電気機器Ｅから出力される刺戟Ｓ１を感知し得る範囲内の人Ｐの存在の有無を検出する人検出手段１１と、人の存在の有無と経過時間と前記出力変化の状態との組み合わせから成る制御情報に基づき電気機器Ｅの出力を変化させる出力変化制御手段１０と、前記電気機器Ｅからの出力変化に対応して前記刺戟とは別の刺戟Ｓ２を出力して前記人に知覚させるための追加刺戟出力手段Ｘと、前記出力変化制御手段１０から発せられる出力変化を指令する指令信号ｃ１〜ｃ３を前記電気機器Ｅに対して入力する信号入力手段１２から成る。【選択図】図２
0003176286.tif 000002
【実用新案登録請求の範囲】
【請求項１】
人が感知し得る刺戟を変化させて出力できる電気機器の出力変化を体験するための刺戟変化体験機器であって、経過時間と前記出力変化の状態との組み合わせから成る制御情報に基づき前記電気機器の出力を変化させる出力変化制御手段と、前記電気機器からの出力変化に対応して前記刺戟とは別の刺戟を出力して前記人に知覚させるための追加刺戟出力手段と、から成る刺戟変化体験機器。
【請求項２】
前記電気機器から出力される刺戟を感知し得る範囲内の人の存在の有無を検出する人検出手段と、前記出力変化制御手段から発せられる出力変化を指令する指令信号を前記電気機器に対して入力する信号入力手段とをさらに有し、前記出力変化制御手段は、人の存在の有無と経過時間と前記出力変化の状態との組み合わせから成る制御情報に基づき前記電気機器の出力を変化させることを特徴とする、請求項１に記載の刺戟変化体験機器。
【請求項３】
前記人検出手段は、前記電気機器から出力される刺戟を感知し得る範囲内の人の密度をも検出可能とし、前記出力変化制御手段は、前記人の密度と経過時間のいずれか一方又はその両方と前記出力変化の状態との組み合わせから成る制御情報に基づき前記電気機器の出力を変化させることを特徴とする、請求項２に記載の刺戟変化体験機器。
【請求項４】
前記電気機器は、人の視覚で感知し得る刺戟又は聴覚で感知し得る刺戟のいずれか一方又はその両方を出力し、前記追加刺戟出力手段は、人の視覚が感知し得る刺戟を出力することを特徴とする、請求項１乃至請求項３のいずれか一項に記載の刺戟変化体験機器。
【請求項５】
前記電気機器は、映像又は音声のいずれか一方又はその両方を出力する情報出力装置に接続可能な音声出力装置であって、前記追加刺戟出力手段は、前記音声出力装置からの音声の出力に対応して表示状態が変化する視覚表示装置であることを特徴とする、請求項１乃至請求項４のいずれか一項に記載の刺戟変化体験機器。
【請求項６】
前記電気機器は、テレビ装置に接続可能な音声出力装置であって、前記指令信号は、テレビ音声の出力手段を、前記テレビ装置に付属するスピーカーと前記音声出力装置が有するスピーカーとの間で切り替える信号であって、前記追加刺戟出力手段は、該テレビ音声の出力手段の切り替えに対応して表示状態が変化する視覚表示装置であることを特徴とする、請求項５に記載の刺戟変化体験機器。
【請求項７】
前記電気機器は、人の視覚で感知し得る刺戟を出力し、前記追加刺戟出力手段は、視覚以外の感覚で感知し得る刺戟を出力することを特徴とする、請求項１乃至請求項３のいずれか一項に記載の刺戟変化体験機器。
【請求項８】
前記電気機器は、人の皮膚感覚で感知し得る刺戟を出力し、前記追加刺戟出力手段は、皮膚感覚以外の感覚で感知し得る刺戟を出力することを特徴とする、請求項１乃至請求項３のいずれか一項に記載の刺戟変化体験機器。
【考案の詳細な説明】
【技術分野】
【０００１】
本考案は映像、音響、光、風、温度等、人が感知し得る刺戟を変化させて出力できる電気機器、例えばテレビ、オーディオ装置、シアタースピーカーシステム、サラウンドスピーカーシステム等のＡＶ機器、あるいは照明装置、空調装置等の電気機器の出力する刺戟の出力変化を人に体験させつつ、該出力変化の前後の刺戟の相違を人に認知させるための刺戟変化体験機器に関し、具体的には、販売店の店頭やショールーム等で前記電気機器に付加的に設置して実演作動させる際にその性能や特性を顧客等の人に体験させつつ認知させるための、製品の販売促進用の刺戟変化体験機器に関する。
【背景技術】
【０００２】
ＡＶ機器や照明装置、空調装置等の製品は電気機器である以上、その機能や性能が消費者等の購買意思決定において重要な判断基準となっている。そのため、電気機器の販売店やショールーム等においては、展示品自体やその近傍に各種の表示具（ＰＯＰ）を設置して製品の機能や性能に関する情報を提供するほか、展示品を実演作動させて消費者等に製品の機能や性能を体感させることが行われている。たとえば、電気機器がテレビである場合は、放送番組やＤＶＤコンテンツ等を展示製品で上映させるとともに、製品の特徴や仕様、価格を掲載したＰＯＰを近傍に配置するほか、テレビ画面を取り囲む形の表示具（いわゆる「エリマキＰＯＰ」）を取り付けて販促を図ることが一般的である。
【０００３】
一方、前記電気機器の分野では、映像や音響、光、風、温度等の人が感知し得る刺戟を自動又は手動により変化させることで特別の効果を発揮することを特徴とする製品も多い。たとえば、テレビやオーディオ装置等のＡＶ機器では、映像又は音声コンテンツの特性に応じて音響出力の特性を変化させることで臨場感を高める等の効果を発揮する機能や構成を有するものがある。また、照明装置や空調装置では、光の量や性質、温度、湿度、風向、風量その他を使用者の選択により、あるいは外光量や室温、湿度等の使用環境に対応して自動的に適宜変化させることで快適性や演出性を高める等の効果を発揮する機能や構成を有するものもある。
【０００４】
こうした電気機器の刺戟の出力変化を消費者等に実際に体感させ、かつ、出力変化の前後における刺戟の相違を適宜に認知させることにより、消費者等の当該製品への関心を誘引し、ひいては購買意欲を高める販売促進効果が期待できる。しかし、販売店の店頭やショールームはその環境が固定されているだけでなく、多数の製品を展示していることが一般的であるため、接客が主たる任務である限られた人数の係員が、来店したすべての消費者等の行動に応じて実演作動中の展示品を適宜操作することは困難である。そのため、刺戟の出力変化に特徴を有する製品を展示していても、ＰＯＰ等でその特徴を訴求するに留め、展示品は出力を固定して作動させたまま放置せざるを得ず、十分に販売促進効果を発揮させ得ない場合が多いという問題があった。
【考案の開示】
【考案が解決しようとする課題】
【０００５】
本考案は、上述の問題を解決するために、人が感知し得る刺戟を変化させて出力できる点に特徴を有する電気機器を実際に作動させつつ展示する場合において、展示品の出力変化を自動的に最適制御して消費者等に変化を体感させるとともに、出力変化の前後の刺戟の相違を適宜に認知させ得る刺戟変化体験機器を提供することを目的とする。
【０００６】
かかる目的を達成するため、本考案の請求項１に記載した刺戟変化体験機器は、設定した経過時間と前記出力変化の状態との組み合わせから成る制御情報に基づき前記電気機器の出力を変化させる出力変化制御手段と、前記電気機器からの出力変化に対応して前記刺戟とは別の刺戟を出力して前記人に知覚させるための追加刺戟出力手段と、から成ることを特徴としている。
【０００７】
図１は、請求項１に記載した刺戟変化体験機器の最小限の構成を示す機器構成図であり、Pは人、Ｅは電気機器、Xは追加刺戟出力手段、１０は出力変化制御手段を示し、出力変化制御手段１０と電気機器E及び追加刺戟出力手段Xは、有線又は無線の信号伝達手段により接続されている。出力変化制御手段１０は、予め設定した経過時間と電気機器からの刺戟の出力変化の状態との組み合わせから成る制御情報Ｔを記憶している。ここで、経過時間とは、たとえば、電気機器Ｅに所定の作動を開始させてからの経過時間である。また、電気機器Ｅが、たとえばオーディオ装置のような音声出力機器である場合は、出力される刺戟Ｓ１は音声であり、出力変化の状態とは音量のレベルや音質の特性等である。
【０００８】
たとえば、電気機器Ｅが重低音強調機能を有するオーディオ装置とし、経過時間を２０秒単位に設定し、出力変化を重低音強調機能のオン／オフ状態のいずれかとした場合、制御情報Ｔは、オーディオ装置の作動開始時点では重低音強調機能をオフ状態として音声を出力させ、２０秒が経過したら重低音強調機能をオン状態に切り替え、さらに２０秒が経過したら再びオフ状態にとし、この出力変化シーケンスを自動的に繰り返させるものとすることができる。この場合、前記出力変化制御手段１０は、この制御情報Ｔに基づいて指令信号ｃ１を電気機器Ｅに送り、その出力を変化させる。なお、制御情報Ｔは、前記出力変化制御手段１０が有する図示しない記憶手段上に保持させるものとし、電気機器Ｅの種類や機能に応じた出力変化と経過時間の秒数や出力変化の切り替えのパターンを任意に変更して設定可能とする。
【０００９】
一方、前記追加刺戟出力手段Ｘは、たとえば、ＬＥＤランプを内蔵した広告ＰＯＰパネルのように光を出力して人Ｐに視覚的な刺戟を与えるものとすることができ、この場合の刺戟Ｓ２は光である。前述のオーディオ装置の例の場合は、重低音強調機能のオン／オフ状態をＬＥＤランプの点滅あるいは複数のＬＥＤランプの点灯の切り替えによってオーディオ装置の出力変化を表示し、人Ｐに認識させることができる。前記出力変化制御手段１０は、制御情報Ｔに基づき指令信号ｃ２を追加刺戟出力手段Ｘに送り、追加の刺戟Ｓ２としてＬＥＤランプの点灯状態を変化させる。かかる追加刺戟出力手段Ｘの表示手段や態様は任意であり、制御情報Ｔにおける指令信号ｃ１とｃ２の内容の対応関係も任意に設定可能とする。
【００１０】
以上の構成の場合、オーディオ装置の作動中の所定時間毎に重低音強調効果モードのオン／オフが切り替わり、人Ｐに聴覚を通じて重低音強調効果の有無による音声の特性の違いを体感させると同時に、ＰＯＰパネルのＬＥＤランプを点滅又は切り替え点灯させることで視覚を通じても注意を喚起することができる。これにより、人Ｐにオーディオ機器の有する重低音強調機能を効果的に認識・理解させることが可能となり、販売の促進や広告宣伝効果の向上が期待できるのである。
【００１１】
次に、請求項２に記載した刺戟変化体験機器は、請求項１に記載の刺戟変化体験機器において、前記電気機器Ｅから出力される刺戟を感知し得る範囲内の人の存在の有無を検出する人検出手段１１と、前記出力変化制御手段１０から発せられる出力変化を指令する指令信号を前記電気機器Ｅに対して入力する信号入力手段１２とをさらに有し、前記出力変化制御手段１０は、人の存在の有無と経過時間と前記出力変化の状態との組み合わせから成る制御情報Ｔに基づき前記電気機器Ｅの出力を変化させることを特徴とする。
【００１２】
請求項１に記載の刺戟変化体験機器の構成では、制御情報Ｔは予め任意に設定可能であるものの、電気機器Ｅから出力される刺戟を感知し得る範囲内に人が居ても居なくても設定されたパターンに従って出力する刺戟Ｓ１を変化させ、追加刺戟出力手段Ｘもこれに対応して追加の刺戟Ｓ２を変化させて出力するのみである。一方、電気機器の販売店の店頭等においては、顧客である人の動態は予測が困難であるだけでなく、人が一つの展示品の前に滞在する時間は限られている。そのため、制御情報Ｔに基づく電気機器Ｅや追加刺戟出力手段Ｘの出力変化のパターンを固定したままでは、人が電気機器Ｅの前に居る時にタイミング良く出力を変化させるとは限らず、その効果は限定されざるを得ない。
【００１３】
図２は、請求項２に記載した刺戟変化体験機器の機器構成の一例を示す機器構成図である。かかる構成では、前記電気機器Ｅから出力される刺戟を感知し得る範囲内の人の存在の有無を検出する人検出手段１１を設けている。該人検出手段１１は、その検知範囲に人Ｐが存在するか否かを検知して検知信号ｍを前記出力変化制御手段１０へと送る。一方、出力変化制御手段１０が記憶する制御情報Ｔは、たとえば、検知信号ｍが人Ｐの存在を伝えない場合には電気機器Ｅの出力を変化させず、人Ｐの存在を伝えた場合にのみ、前記経過時間と出力変化の状態の組み合わせによる出力変化シーケンスを開始させて、電気機器Ｅ及び追加刺戟出力手段Ｘへの指令信号ｃ１、ｃ２を発するよう設定することができる。
【００１４】
これにより、前述の重低音強調機能を備えるオーディオ装置とＬＥＤランプ内蔵ＰＯＰの組み合わせの例の場合、（１）人が検知範囲内に居ない間はオーディオ装置の重低音強調機能をオフ状態として通常の音声出力を行う、（２）人が検知範囲内に来たことを検出すると、重低音強調機能をオン状態に切り替えるとともに、ＬＥＤランプを点滅又は切り替え点灯等させて人に出力変化を体感させて視覚的にも注意を喚起する、（３）人がその場に居続ける限り、たとえば２０秒毎にオン／オフ状態を自動的に切り替える、（４）人がその場から離れたことを検知した場合には、再びオフ状態に復帰して通常の音声を出力させる、といった人の動態に対応した出力変化パターンの変更を可能とできる。これにより、オーディオ装置の前に近づいた人に対して、タイムリーに重低音強調機能の効果を体感させ認識させることができるようになるため、より高い販促効果が期待できるのである。
【００１５】
また、図２に示す構成では、前記出力変化制御手段１０から発せられる出力変化を指令する指令信号ｃ１を、前記電気機器Ｅに対して指令信号ｃ２として入力する信号入力手段１２を設けている。近年の電気機器、特に家電製品の場合、その作動又は運転状態の制御手段として赤外線や電波（ブルートゥース方式を含む）を通信手段した遠隔操作手段（リモコン）を使用するものが増えており、たとえばテレビやオーディオ装置、空調装置等の場合、電源のオン／オフはもとより、音量・音質・温湿度・風量等の出力の制御、選局チャンネルの切り替え、接続する入力装置の切り替え等、幅広い操作をリモコンで行える。そこで、前記出力変化制御手段１０からの指令信号ｃ１を送る手段として、電気機器Ｅが元々装備するリモコン受信手段を利用すれば、本考案に係る刺戟変化体験機器を設置する際にも、電気機器Ｅ側に新たな受信手段を設けたり電気機器Ｅと出力変化制御手段１０を直接結線したりする必要がなくなり、簡易である。
【００１６】
図２に示す構成では、電気機器Ｅ用のリモコンに対応する通信手段で信号を入力できる信号入力手段１２を設けており、前記出力変化制御手段１０からの指令信号ｃ１を前記通信手段による指令信号ｃ２に変換して電気機器Ｅの信号受信手段２１へ伝達する。もちろん、電気機器Ｅが遠隔操作に非対応の機器であって前記信号受信手段２１を有さないものである場合は、かかる信号入力手段１２を設けず、代わりに出力変化制御手段１０と電気機器側制御手段２０との間を電気的回線等で接続して直接指令信号ｃ１を伝達する構成としても良い。
【００１７】
次に、請求項３に記載した刺戟変化体験機器は、請求項２に記載の刺戟変化体験機器において、前記人検出手段１１は、前記電気機器Ｅから出力される刺戟を感知し得る範囲内の人の密度を検出可能とし、前記出力変化制御手段１０は、前記人の密度と設定した経過時間のいずれか一方又はその両方と経過時間と前記出力変化の状態との組み合わせから成る制御情報Ｔに基づく前記指令信号ｃ１、ｃ２を発することを特徴とする。
【００１８】
たとえば、電気機器の販売店等において電気機器Ｅを主要通路に面して展示した場合には、前記人検出手段１１の検知範囲を頻繁に人が通過することとなる。請求項２の構成では、人の通行量が多い場合には人検出手段１１は常時人Ｐの存在を検知し続ける状態となり、出力変化制御手段１０も、制御情報Ｔに基づいて出力を変化させる指令信号ｃ１、ｃ２を常時発し続ける状態となる。しかし、人検出手段１１が検出した通過者のすべてが電気機器Ｅに関心を持って立ち止まった人とは限らないので、立ち止まらずに通過する人ばかりの状態で出力を変化させても販促上の効果は小さく、むしろ一定数の人が立ち止まっている場合にのみ所定の出力変化を実行させた方が効果的な場合がある。
【００１９】
請求項３に記載の刺戟変化体験機器では、前記人検出手段１１として人の存在の有無だけでなくその密度も検出可能な人検出手段を用いる。この場合、前記制御情報Ｔは、前記人の密度と設定した経過時間のいずれか一方又はその両方と前記出力変化の状態との組み合わせから成る前記制御情報に基づき前記指令信号ｃ１、ｃ２を発することを特徴とする。なお、かかる人の密度をも検出可能な人検出手段としては、人の発する赤外線を検知して検知範囲内の人数を検出可能ないわゆる「混雑度センサ」等がすでに開発されている。かかる構成により、電気機器Ｅの前を多くの人が通過するだけの間はあえて出力を変化させず、一定数の人が立ち止まっていることを検知した場合にのみ所定の出力変化を実行させるという制御が可能となり、より高い販促効果の発揮が期待できる。
【００２０】
次に、請求項４に記載した刺戟変化体験機器は、請求項１乃至請求項３のいずれか一項に記載の刺戟変化体験機器であって、前記電気機器Ｅは、人の視覚で感知し得る刺戟又は聴覚で感知し得る刺戟のいずれか一方又はその両方を出力し、前記追加刺戟出力手段Ｘは、人の視覚が感知し得る刺戟を出力することを特徴とする。
【００２１】
本請求項における前記電気機器Ｅは、テレビやパソコンなど映像や画像等の視覚への刺戟と聴覚への刺戟である音声の両方を出力する情報機器、又は、ディスプレイモニターや照明装置など視覚への刺戟のみを出力する情報出力装置である。一方、本請求項における追加刺戟出力手段Ｘは、前述のＬＥＤランプ内蔵ＰＯＰに代表される視覚への刺戟のみを出力する機器であるが、必ずしもこれに限定されず、電気機器Ｅの特徴や出力変化に関する説明等を自動的に表示するディスプレイモニター等、他の出力機器であっても良い。
【００２２】
次に、請求項５に記載した刺戟変化体験機器は、請求項１乃至請求項４のいずれか一項に記載の刺戟変化体験機器であって、前記電気機器Ｅは、映像又は音声のいずれか一方又はその両方を出力する情報出力装置に接続可能な音声出力装置であって、前記追加刺戟出力手段Ｘは、前記音声出力装置からの音声の出力に対応して表示状態が変化する視覚表示装置であることを特徴とする。また、請求項６に記載した刺戟変化体験機器は、請求項５に記載の刺戟変化体験機器において、さらに、電気機器Ｅが、テレビ装置に接続可能な音声出力装置であり、前記指令信号ｃ１が、テレビ音声の出力手段を前記テレビ装置に付属するスピーカーと前記音声出力装置が有するスピーカーとの間で切り替える信号であり、前記追加刺戟出力手段Ｘが、該テレビ音声の出力手段の切り替えに対応して表示状態が変化する視覚表示装置であることを特徴とする。
【００２３】
近年のテレビは薄型化・大画面化が進展して映像表示性能が著しく向上しており、これに対応した音声出力性能の向上も図られている。その一つとして、本体スピーカーを有するテレビとは別に、重低音の強調効果やサラウンド効果等、音響の演出性を向上させるための特別の装置と専用スピーカーから構成された音声出力装置（いわゆるシアタースピーカーシステムあるいはサラウンドシステムと称される装置）が開発され普及しつつある。
かかる音声出力装置は、テレビ本体のスピーカーと併用し、あるいはそれに代えて音声を出力するものである。そのため、その販売促進においては、同じ音声をテレビ本体のスピーカーのみで出力する場合と音声出力装置から出力する場合とを切り替えて、消費者等にその違いを体感させ、同時にＰＯＰ等の広告手段で音声出力の切り替わりを視覚的にも認識させることが販売促進上、極めて効果的である。
【００２４】
本考案においては、前記出力変更制御手段１０は、テレビ装置とこれに接続可能な音声出力装置の双方の間で音声出力の切り替えを行い、同時にＬＥＤランプ内蔵ＰＯＰ等のランプの点滅又は切り替え点灯により表示状態を変化させて、音声出力の切り替えを消費者等の人に出力変化の前後の刺戟の相違を体感させるとともに、視覚的にも注意を促して出力変化を認知させることができる。
【００２５】
次に、請求項７に記載した刺戟変化体験機器は、請求項１乃至請求項３のいずれか一項に記載の刺戟変化体験機器であって、前記電気機器は、人の視覚で感知し得る刺戟を出力し、前記追加刺戟出力手段は、視覚以外の感覚で感知し得る刺戟を出力することを特徴とする。また、請求項８に記載した刺戟変化体験機器は、請求項１乃至請求項３のいずれか一項に記載の刺戟変化体験機器において、前記電気機器は、人の皮膚感覚で感知し得る刺戟を出力し、前記追加刺戟出力手段は、皮膚感覚以外の感覚で感知し得る刺戟を出力することを特徴とする。
【００２６】
本考案の請求項１乃至請求項３に記載の考案は、前述の通り、電気機器Ｅとしてテレビやオーディオ装置等のＡＶ機器のみならず照明装置や空調装置その他の音響以外の刺戟の出力を変化させる電気機器にも応用可能である。たとえば、照明装置には、点灯・消灯だけでなく光量や色温度等の色調を変化させることができる光源を備えているものや、複数の光源の点灯・消灯のパターンを可変可能とすることによって、時間帯や室内の環境、消費者の嗜好に応じて様々な照明状態や演出性を変化させるものがある。また、空調機器の場合は、外気温や室温、湿度、風量や風向等の制御は当然のこと、室内の人の有無や位置、室内での人の活動状況にまで対応して、きめ細やかな空調の出力変化を制御する製品も普及している。
【００２７】
こうした人の視覚や皮膚感覚で感知し得る刺戟の出力変化を特徴とする電気機器の販売促進や広告宣伝においても、電気機器Ｅ自体の刺戟の出力変化を消費者等に実際に体感させると同時に、ＰＯＰ等の追加刺戟変出力手段Ｘにより異なる種類の刺戟を消費者に提供することで電気機器Ｅの出力変化の前後の相違を積極的に認識させることができるため、電気機器Ｅの販売促進の効果が期待できる。
【考案の効果】
【００２８】
以上説明したように、テレビ、オーディオ装置、シアタースピーカーシステム、サラウンドスピーカーシステム等のＡＶ機器、あるいは照明装置、空調装置等、人が感知し得る刺戟を変化させて出力できる電気機器を展示する販売店やショールーム等において、実演作動させる電気機器に本考案に係る刺戟変化体験機器を付加して使用することにより、電気機器の出力する刺戟の出力変化を人に体験させつつ、該出力変化の前後の刺戟の相違を消費者等の人に効果的に認知させることが可能となり、販売促進や広告宣伝の効果を向上させることができる。
【考案を実施するための最良の形態】
【００２９】
（第一実施形態）
以下、本考案の実施形態について図２乃至図５を用いて詳細に説明する。図２は、本考案に係る刺戟変化体験機器の第一実施形態を示す概略の機器構成図である。本第一実施形態では、電気機器Ｅは人が感知し得る刺戟を変化させて出力できる電気機器であり、たとえば電気機器側制御手段２０が、刺戟出力手段２２により刺戟を変化させて出力する。また、本実施形態の刺戟変化体験機器は、出力変化制御手段１０、人検出手段１１、信号入力手段１２、動作検知手段１３から構成される。
【００３０】
人検出手段１１は、検知範囲内の人Ｐの存在の有無Ｍを検出して検出信号ｍを送出する。検出信号ｍを受けた出力変化制御手段１０は、予め設定して図示しない記憶部に記憶させた制御情報Ｔに基づいて、信号入力手段１２に指令信号ｃ１を送る。信号入力手段１２は、指令信号ｃ１を電気機器Ｅが有する信号受信手段２１に対応する指令信号ｃ２に変換して送出し、これを信号受信手段２１が受けて電気機器側制御手段２０に送り、電気機器側制御手段２０が刺戟出力手段２２を作動させて刺戟Ｓ１を出力する。本第一実施形態では、さらに、電気機器側制御手段２０による出力変化の状態を示す作動情報ｅ１を動作検知手段１３が検知すると、該動作検知手段１３はこれを作動信号ｅ２に変換して出力変化制御手段１０へとフィードバックする。作動信号ｅ２を受けた出力変化制御手段１０は、制御情報Ｔを参照して指令信号ｃ２を追加刺戟出力手段Ｘへと送り、追加刺戟Ｓ２を変化させつつ出力させる。以上により、刺戟出力手段２２からの刺戟Ｓ１の出力の変化に対応して追加刺戟Ｓ２をも変化させつつ出力させるのである。
【００３１】
前記第一実施形態に係る刺戟変化体験機器の具体的な適用例としては、たとえば、電気機器Ｅをオーディオ装置、追加刺戟出力手段ＸをＬＥＤランプ内蔵ＰＯＰ、人検出手段１１を人感センサ、信号入力手段１２をリモコン発信部、信号受信手段１２をリモコン受信部、刺戟出力手段２２をスピーカーとした場合、人感センサがオーディオ装置の前の人の有無を検知して検出信号ｍを送出し、これを受けた出力変化制御手段１０が指令信号ｃ１をリモコン発信部に送ってリモコン操作信号をリモコン受信部に発信させ、電気機器側制御手段２０がスピーカーからの音声出力を変化させる構成が考えられる。前記動作検知手段１３としては、たとえば、オーディオ機器からの出力変化の状態が本体に装備されたＬＥＤインジケータで表示される場合あれば、該ＬＥＤインジケータの点灯状況を作動情報ｅ１として検知する光センサとし、該光センサが作動信号ｅ２を出力変化制御手段１０へとフィードバックさせる構成が考えられる。また、出力変化の状態がオーディオ機器の冷却ファンの回転で検知できる場合であれば、ファンの回転を検出するセンサを動作検知手段１３としてもよい。ただ、いずれにせよ、電気機器Ｅが商品であることを考慮すれば、動作検知手段１３は、これを大幅に改造・改変することなく電気機器Ｅの出力変化を検知できる手段とすることが望ましい。
【００３２】
なお、動作検知手段１３は、本考案の必須構成ではなく、電気機器Ｅの種類や構造によっては、作動信号ｅ２を電気機器側制御手段２０と出力変化制御手段１０とを接続する回線等により直接フィードバックさせる構成としても良い。さらに、検出信号ｍを受けた出力変化制御手段１０が、作動信号ｅ２のフィードバックを受けることなく、制御情報Ｔに基づいて直ちに指令信号ｃ１、ｃ２を送出する構成としても良い。
【００３３】
（第二実施形態）
図３は、本考案に係る刺戟変化体験機器の第二実施形態を示す概略の機器構成図である。
本第二実施形態では、電気機器Ｅを、テレビ装置Ｅ１と、それに付加的に接続可能な音声出力装置Ｅ２（たとえば、シアタースピーカーシステム装置とする。）とする。一方、追加刺戟出力手段Ｘは、テレビ装置Ｅ１と音声出力装置Ｅ２を接続して一体的に展示する場合に取り付ける二種類のＬＥＤランプ内蔵ＰＯＰのパネルＸ１、Ｘ２とし、たとえばＸ１は展示品の前面に設置する「フロントＰＯＰ」、Ｘ２はテレビ画面の周囲を囲む形に設置する、いわゆる「エリマキＰＯＰ」とすることが考えられる。本第二実施形態では、さらに、ＤＶＤ再生装置を電気機器Ｅ３としてテレビ装置Ｅ１と音声出力装置Ｅ２に接続している。この接続に用いる通信手段には各電気機器の間で互換性を有するものが必要であり、たとえば、異なる電気機器間での映像・音声出力を一体的に制御可能な通信方式として普及しているＨＤＭＩ（Ｈｉｇｈ−Ｄｅｆｉｎｉｔｉｏｎ  Ｍｕｌｔｕｉｍｅｄｉａ  Ｉｎｔｅｒｆａｃｅ：高精細度マルチメディアインターフェース）等が適当である。
【００３４】
本第二実施形態では、上記の構成により、人検出手段１１（人感センサ）が人Ｐの有無を検知し、出力変化制御手段１０が制御情報Ｔに基づいて音声出力装置Ｅ２に指令信号ｃ１、ｃ２を送り、音声出力装置Ｅ２が有する電気機器制御手段３０を通じて、刺戟出力手段３２（音声出力装置側スピーカー）と（テレビ装置Ｅ１の刺戟出力手段４２（テレビ装置側スピーカー）の間で音声の出力を切り替える。一方、出力変化制御手段１０は、電気機器制御手段３０からフィードバックされる作動信号ｅ２を制御情報Ｔに参照し、音声出力の切り替えに応じてフロントＰＯＰＸ１、エリマキＰＯＰＸ２のＬＥＤランプを点滅又は点灯切り替えさせることにより、いずれのスピーカーから音声が出力されているか等の情報を人Ｐの視覚に認識させるのである。
【００３５】
さらに、本第二実施形態では、制御情報Ｔはスピーカーの切り替えだけでなく、テレビ装置Ｅ１と音声出力装置Ｅ２から出力する映像・音声コンテンツを、テレビ装置Ｅ１が受信するテレビ放送番組とＤＶＤ再生装置にセットしたＤＶＤコンテンツとの間で切り替える切り替え指令も含めることができる。これにより、制御情報Ｔに基づいて、テレビ装置Ｅ１は適宜にテレビ放送番組の放映とＤＶＤコンテンツの再生を切り替え可能とするとともに、いずれの場合も適宜音声を出力させるスピーカーを切り替えるようにすることができる。
【００３６】
図４、図５は、本第二実施形態における映像・音声の出力を、人検出手段１１（人感センサ）からの検出信号ｍと制御情報Ｔに基づいて変化させるシーケンスを例示して説明するフロー図である。
【００３７】
図４は電気機器Ｅ３（ＤＶＤ再生装置とする。）を使用せず、電気機器Ｅ１（テレビ装置とする。）と電気機器Ｅ２（音声出力装置とする。）との間で音声出力のみを切り替える場合を示す。まず、初期状態では、テレビ装置Ｅ１は受信したテレビ放送番組の映像をディスプレイで放映し、音声もテレビ装置Ｅ１のスピーカーから出力する。人感センサ１１はその検知範囲に「人が居るか否か」を検出し、「人が居ない場合」は初期状態を継続させる。次に、人が展示品に近づいたことを人感センサ１１が検出したら、その時点からたとえば２０秒後に出力変化制御手段１０が指令信号ｃ１を音声出力装置側の電気機器制御手段３０に送り、音声出力をテレビ装置側スピーカー４２から音声出力装置側スピーカー３２へと切り替え、さらに２０秒が経過したら再び音声出力をテレビ装置側スピーカー４２へと切り替える。その後、人感センサ１１が「人が居る状態」を検知している場合は前記２０秒ごとの切り替えを継続するが、「人が居ない状態」を検知すればテレビ装置側スピーカー４２からの音声出力のみの初期状態に復帰させる。この間、前記フロントＰＯＰＸ１とエリマキＰＯＰＸ２はいずれのスピーカーから音声が出力されているかをＬＥＤランプの点滅又は点灯の切り替えにより表示する。
【００３８】
以上のシーケンスにより、展示品の前に人が来た場合には、まず「現時点のテレビ放送の音声がテレビ自体のスピーカーから出力されていること」、そして「２０秒後には音声出力装置のスピーカーからの音声出力に切り替わること」をＰＯＰにより人に知らせ、スピーカーが切り替わると同時に「音声出力装置のスピーカーが出力中であること」を人に認知させる。音声出力の違いは、何度もその相異を聴き比べないと実感として認識しにくい場合が多いが、かかるシーケンスによれば、人が人感センサの検出範囲に留まっている間、ＰＯＰによる視覚的な表示の変化と合わせて２０秒ごとに繰り返しスピーカーを切り替えるため、音声出力の変化に関心を持った人に十分にその出力変化の前後の相違を体感し認知させることができるのである。
【００３９】
次に、図５は、電気機器Ｅ３（ＤＶＤ再生装置とする。）を使用して、テレビ装置で放映する映像コンテンツ自体をテレビ放送番組とＤＶＤコンテンツとの間で切り替えるシーケンスを示したフロー図である。初期状態では、テレビ放送番組をディスプレイに出力し、音声もテレビ自体のスピーカから出力させ、人が居ない場合はその状態を継続させる。次に、人が展示品に近づいたことを人感センサ１１が検出したら、その時点からたとえば２０秒後に出力変化制御手段１０が指令信号ｃ１を音声出力装置側の電気機器制御手段３０に送り、該音声出力装置側の電気機器制御手段３０はＨＤＭＩ回路を介してテレビ装置Ｅ１とＤＶＤ再生装置Ｅ２からの入出力回路を切り替え、映像出力をＤＶＤ装置からのＤＶＤコンテンツに切り替えるとともに、音声出力もテレビ装置側スピーカー４２から音声出力装置側スピーカー３２へと切り替える。さらに２０秒が経過したら、映像出力はそのままで音声出力のみをテレビ装置側スピーカー４２へと切り替え、その後、人感センサ１１が「人が居る状態」を検知している場合は、前記２０秒ごとの音声出力の切り替えを継続する。そして、人感センサ１１が「人が居ない状態」を検知したら、映像出力をテレビ放送番組へと切り替えるとともに、音声出力もテレビ装置側スピーカー４２へと切り替える。この間、前記フロントＰＯＰＸ１とエリマキＰＯＰＸ２は、放映しているコンテンツがテレビ放送番組かＤＶＤコンテンツか、また、いずれのスピーカーから音声が出力されているかをＬＥＤランプの点滅又は点灯の切り替えにより表示する。
【００４０】
以上のシーケンスにより、展示品の前に人が来た場合には、まず現在のテレビ放送の音声がテレビ自体のスピーカーから出力されていること、そして２０秒後には放映するコンテンツがＤＶＤコンテンツに切り替わること、また、音声出力も音声出力装置のスピーカーからのものに切り替わることをＰＯＰが知らせ、スピーカーが切り替わると同時に音声出力装置のスピーカーが出力中であることを人に認知させる。テレビ放送番組は、その時点でオンエアされている番組によっては必ずしも音声出力装置の音響効果が体感できないものも多いが（特にニュース番組等）、ＤＶＤコンテンツとして映画や音楽など音響効果の違いが体感し易いものを予め用意しておくことにより、人がいつ展示品の前に来た場合であっても、随時音声出力装置の音響効果を最大限に体感し認識できるようにすることができるのである。
【００４１】
なお、本第二実施形態では、テレビ装置Ｅ１、音声出力装置Ｅ２あるいはＤＶＤ再生装置Ｅ３の相互の入出力制御の切り替えを電気装置Ｅ２の電気機器制御手段３０が行う構成を例示しているが、必ずしもこれに限定するものではなく、かかる入出力制御をたとえばテレビ装置Ｅ１の電気機器制御手段４０で行える場合には、そのようにしても良い。また、追加刺戟出力手段Ｘも、フロントＰＯＰやエリマキＰＯＰに限定するものではなく、電気機器Ｅの種類や構成あるいは各機器の特性に応じてその数や形態は適宜変更可能なものとする。さらに、前記図４、図５に示したシーケンスの順序や時間その他の遷移パターンもあくまで例示であり、これらに限定するものではない。
【００４２】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものである。特に、電気機器Ｅとしては照明装置や空調装置など様々な機器が想定され、本考案の技術的思想の範囲内に属する限り、それらは本考案の技術的範囲に属する。
【産業上の利用可能性】
【００４３】
本考案は、ＡＶ機器、照明装置、空調装置その他の電気機器の販売店の店頭やショールーム等において展示し実演作動させる電気機器に付加することにより、電気機器の様々な出力変化を消費者等に効率的かつ効果的に実感させてその性能や特性を認知させ、電気機器製品の販売促進や広告宣伝の効果を向上させるものである。
【図面の簡単な説明】
【００４４】
【図１】請求項１に記載の刺戟変化体験機器の機器構成図
【図２】第一実施形態に係る刺戟変化体験機器の機器構成図
【図３】第二実施形態に係る刺戟変化体験機器の機器構成図
【図４】テレビ装置と音声出力装置のみを制御する場合の出力変化制御手段の処理フロー図
【図５】テレビ装置、音声出力装置、ＤＶＤ装置を制御する場合の出力変化制御手段の処理フロー図
【符号の説明】
【００４５】
Ｐ           人
Ｅ           電気機器
Ｅ１       電気機器（テレビ装置）
Ｅ２       電気機器（音声出力装置）
Ｅ３       電気機器（ＤＶＤ再生装置）
Ｘ           追加刺戟出力手段
Ｘ１       追加刺戟出力手段（フロントＰＯＰ）
Ｘ２       追加刺戟出力手段（エリマキＰＯＰ）
Ｔ           制御情報
Ｓ１〜Ｓ３  刺戟
ｃ１〜ｃ３  指令信号
ｅ１、ｅ２  動作信号
ｅ３       制御信号
ｍ           検出信号
１０       出力変化制御手段
１１       人検出手段
１２       信号入力手段
１３       動作検知手段
１４       手動切替手段
２０       電気機器側制御手段
２１       信号受信手段
２２       刺戟出力手段
３０       電気機器側制御手段（音声出力装置）
３１       信号受信手段（リモコン受光部）
３２       刺戟出力手段（音声出力装置側スピーカー）                           
４０       電気機器側制御手段（テレビ装置）
４１       刺戟出力手段（ディスプレイ）
４２       刺戟出力手段（テレビ装置側スピーカー）
５０       電気機器側制御手段（ＤＶＤ再生装置）
５１       ＤＶＤドライブ
【図１】
0003176286.tif 000003
【図２】
0003176286.tif 000004
【図３】
0003176286.tif 000005
【図４】
0003176286.tif 000006
【図５】
0003176286.tif 000007